(57)【要約】【課題】日傘の使用者が、紫外線の光量を日々の情報として管理可能とする。【解決手段】第１紫外線センサＵＶＳ１は、その全体が石突２の内部に設けられており、傘布３の表面に降り注ぐ第１紫外線ＵＶ１の光量を検出して、その第１検出値をデジタル情報として窓部を介して外部に表示する。第２紫外線センサＵＶＳ２は、全体的に傘布３の裏面側の中棒１の内部に設けられており、傘布３を透過して又は外部で反射して傘布３の上記裏面側に降り注ぐ第２紫外線ＵＶ２Ａ，ＵＶ２Ｂの光量を検出して、その第２検出値をデジタル情報として窓部を介して外部に表示する。日傘１０の使用者等は、晴れ又は曇り日の日々の第１及び第２検出値の視認を通じて、日傘１０の使用時の紫外線の遮断レベルを楽しみながら管理して、紫外線から身を守って美しい肌を実現するための対策を臨機応変に講じることが出来る。【選択図】図１
2015016267.tif 000002
【特許請求の範囲】
【請求項１】
傘布の表面側の石突に配設されており、前記傘布の前記表面に降り注ぐ紫外線の光量を検出して前記検出値を表示する紫外線センサ
を備えることを特徴とする、日傘。
【請求項２】
請求項１に記載の日傘であって、
前記紫外線センサは全体的に前記石突の内部に設けられており、
前記石突は、前記紫外線センサの前記検出値を外部より視認可能とするための貫通開口部を備えている
ことを特徴とする、日傘。
【請求項３】
傘布の裏面側に設けられた中棒に配設されており、前記傘布を透過して又は外部で反射して前記傘布の前記裏面側に降り注ぐ紫外線の光量を検出して前記検出値を表示する紫外線センサ
を備えることを特徴とする、日傘。
【請求項４】
請求項３に記載の日傘であって、
前記紫外線センサは全体的に前記中棒の内部に設けられており、
前記中棒は、前記紫外線センサの前記検出値を外部より視認可能とするための貫通開口部を備えている
ことを特徴とする、日傘。
【請求項５】
傘布の表面側の石突に配設されており、前記傘布の前記表面に降り注ぐ第１紫外線の光量を検出して第１検出値を表示する第１紫外線センサと、
前記傘布の裏面側に設けられた中棒に配設されており、前記傘布を透過して又は外部で反射して前記傘布の前記裏面側に降り注ぐ第２紫外線の光量を検出して第２検出値を表示する第２紫外線センサと
を備えることを特徴とする、日傘。
【請求項６】
請求項５に記載の日傘であって、
前記第１紫外線センサは全体的に前記石突の内部に設けられており、
前記石突は、前記第１紫外線センサの前記第１検出値を外部より視認可能とするための第１貫通開口部を備えており、
前記第２紫外線センサは全体的に前記中棒の内部に設けられており、
前記中棒は、前記第２紫外線センサの前記第２検出値を外部より視認可能とするための第２貫通開口部を備えている
ことを特徴とする、日傘。
【発明の詳細な説明】
【技術分野】
【０００１】
この発明は、太陽より降り注ぐ紫外線を遮断するための日傘に関する。
【背景技術】
【０００２】
日傘は、通常、太陽光の照射に対する日除け用具として利用されると共に、太陽から降り注がれる紫外線の身体への照射を防止して日焼けを避ける用具としても利用される。そのため、日傘の上記２つの機能を向上させるための種々の提案が成されている。
【先行技術文献】
【特許文献】
【０００３】
【特許文献１】実用新案登録第３１４６３０３号公報
【発明の概要】
【発明が解決しようとする課題】
【０００４】
太陽より降り注ぐ紫外線の光量は、日焼けを防止して美しい肌を保つ観点からすれば、晴れ間のみならず、曇りの日でも、少なくなく、又、季節によっても変動する。
【０００５】
そのため、曇りの日でも日傘を使用する人（主として女性。）がいるが、その際に、その日はどれだけの量の紫外線が直接に又は反射して降り注いでいるのか、且つ、どれだけの量の紫外線が日傘により遮断されているのかを、日々の情報として知ることが出来ないのが現状である。
【０００６】
しかも、日傘の上記機能の向上を日傘の布地の材料の開発等を通じて実現することにも限度があるので、紫外線の肌への照射により日焼けをより一層に防止するには、腕を覆う被服を着用して防護する等の人による対処が欠かせない。
【０００７】
そこで、日々の紫外線の光量及びそのカットの情報が視認可能なデータとして認識し管理することが出来るならば、当該情報管理は、紫外線による肌の日焼けを日々効果的に防止して、美しい白い肌（以下「美白肌」という。）の実現に対してプラスとなる作用を呈する筈である。その意味で、上記情報管理は、美白肌の実現化として、日傘使用者等にとって日々の楽しみの一つとも成り得る。
【０００８】
本発明は、斯かる観点を踏まえて成されたものであり、その主目的は、日傘の紫外線カット機能のレベル・程度を日々の情報として認識・管理可能とすることにある。
【課題を解決するための手段】
【０００９】
本発明の主題に係る日傘は、傘布の表面側の石突に配設されており、前記傘布の前記表面に降り注ぐ第１紫外線の光量を検出して第１検出値を表示する第１紫外線センサと、前記傘布の裏面側に設けられた中棒に配設されており、前記傘布を透過して又は外部で反射して前記傘布の前記裏面側に降り注ぐ第２紫外線の光量を検出して第２検出値を表示する第２紫外線センサとを備えることを特徴とする。
【００１０】
更に、本発明の主題に係る日傘に於いては、前記第１紫外線センサは全体的に前記石突の内部に設けられており、前記石突は、前記第１紫外線センサの前記第１検出値を外部より視認可能とするための第１貫通開口部を備えており、前記第２紫外線センサは全体的に前記中棒の内部に設けられており、前記中棒は、前記第２紫外線センサの前記第２検出値を外部より視認可能とするための第２貫通開口部を備えている。
【発明の効果】
【００１１】
本発明の主題に係る日傘によれば、日傘を使用している者は、太陽より降り注ぐ紫外線がどれだけの量だけ当該日傘によって遮断されているかという実態を第１及び第２検出値より情報として管理することが出来るので、その日々の情報に応じて第２紫外線の身体の肌への入射量を抑制して美白肌（日焼防止）を実現・維持するための対処を行うことが可能となる。
【００１２】
更に、本発明の主題に係る日傘によれば、第１及び第２紫外線センサは日傘の開閉動作時に於いて障害物とはならず、しかも、外観的に日傘としての美観を損なうことも無い。
【００１３】
以下、本発明の様々な具体化を、添付図面を基に、その効果・利点と共に、詳述する。
【図面の簡単な説明】
【００１４】
【図１】本発明の実施の形態１に係る日傘の構成を模式的に示す斜視図である。
【図２】日傘の石突の内部に設けられている第１紫外線センサの構成を模式的に示す図である。
【図３】日傘の中棒の内部に設けられている第２紫外線センサの構成を模式的に示す図である。
【図４】本発明の実施の形態１の変形例に係る日傘の構成を模式的に示す斜視図である。
【発明を実施するための形態】
【００１５】
（実施の形態１）
【００１６】
本実施の形態に係る日傘の構成上の特徴点は、１）傘布の表面側の石突内部に配設されている第１紫外線センサと、２）上記傘布の裏面側に設けられた中棒の内部に配設されている第２紫外線センサとを、備えている点にある。そして、第１紫外線センサは、天空より傘布の表面に降り注ぐ紫外線（以下「第１紫外線」という。）の光量を検出して、その検出値（以下「第１検出値」という。）を外部に対して視認可能に表示する。他方、第２紫外線センサは、上記傘布を透過して又は外部の物体に於いて反射して当該傘布の裏面側に降り注ぐ紫外線（以下「第２紫外線」という。）の光量を検出して、その検出値（以下「第２検出値」という。）を外部に対して視認可能に表示する。
【００１７】
＜日傘１０の構造＞
図１は、本実施の形態に係る日傘１０の構成を、当該日傘１０の開傘状態に於いて模式的に示す、下方から眺めた斜視図である。
【００１８】
図１に於いて、傘１０の各部分を示す参照符号は、次の構成部分を示す。即ち、中棒１は、日傘１の中核を成す部分であり、日傘１０の心棒を構成する部品である。中棒１は、例えば、ステンレス、チタン又は形状記憶合金等の金属部材より成る。或は、中棒１は、金属と引けを取らない強度を有する合成樹脂より構成されていても良い。そして、中棒１に対しては、接合部分（図示せず。）を介して、傘布３が、中棒１との結合状態にて、傘全体を覆い縫った傘生地として、取り付け・張られている。更に、中棒１には、傘布３に取り付けられて当該傘布３を支える複数の骨（複数の受骨４及び親骨５より成る。）が、固定部分（図示せず。）を介して、結合されている。更に、中棒１の先端部分（「一端部」に該当。）は、傘布３の表面側より天空ないしは外部に向けて突出した石突２を成す。
【００１９】
又、手元６が、中棒１の他端部側に配設されている。この手元６は、中棒１の付属部品であって、開傘時の持ち手として機能する。例えば、手元６は、合成樹脂等より成る。
【００２０】
下ロクロ７は、中棒１に摺動可能に嵌め込まれており、中棒１に沿って上下にスライドして日傘１０の開閉を行う部品である。そして、中棒１の下部の手元６の近傍には、閉傘状態を保持するための下ハジキ８が設けられている。他方、中棒１の傘布３側の上部には、開傘時に下ロクロ７を上側から固定状態とするための止め鋲９が、中棒１に設けられている。
【００２１】
ここで、図２は、図１の石突２を拡大化して模式的に示す正面図である。図１及び図２に例示される様に、石突２の内部に、破線で描かれた第１紫外線センサ（紫外線検出器）ＵＶＳ１が、全体的に、配設されている、ないしは、埋設されている。従って、日傘１０の開閉時に、第１紫外線センサＵＶＳ１は、障害物とはならず、日傘としての美感をも損なわない。尚、図示の便宜上、図１では、第１紫外線センサＵＶＳ１は、ハッチングで表示されている。
【００２２】
この第１紫外線センサＵＶＳ１は、天空より傘布３の表面に降り注ぐ第１紫外線ＵＶ１の光量（光の強度）を検出して、その光量検出値（以下「第１検出値」という。）を、外部に対して、デジタル表示（数値）として、或は、アナログ表示として、当該日傘１０の使用者等に視認可能に表示する。この場合、第１紫外線センサＵＶＳ１の電源には、１次電池又は２次電池が用いられ、当該電池の取替え又は充電のために、石突２は、中棒１より取り外し自在に設けられても良い。或は、当該電源が２次電池の場合には、石突２の一部分に、充電用端子部が設けられていても良い。
【００２３】
図２に一例として表示される通り、石突２の適宜な表面には、当該表面を貫通する形態を有する２個の貫通開口部２Ｈ１，２Ｈ２が、配設されている。
【００２４】
これらの貫通開口部２Ｈ１，２Ｈ２の内で、第１貫通開口部２Ｈ１は、第１紫外線センサＵＶＳ１の第１検出値を外部より視認可能とするための表示窓口として機能する開口部である。この場合、第１貫通開口部２Ｈ１には、その入り口に於いて、ガラス窓又はプラスチック窓が設けられていても良い。何れにしても、日傘１０の使用者等は、第１貫通開口部２Ｈ１を介して、第１紫外線センサＵＶＳ１の第１検出値を視覚的に認識することが出来る。
【００２５】
他方の第３貫通開口部２Ｈ２は、第１紫外線ＵＶ１を第１紫外線センサＵＶＳ１の検出部（図示せず。）に入射させるための、紫外線の通り口である。この場合に、第３貫通開口部２Ｈ２の入り口部に於いて、ガラス窓又はプラスチック窓等の窓が設けられていても良い。尚、石突２自体がプラスチック等の合成樹脂より成る場合には、第１紫外線ＵＶ１の一部は当該合成樹脂の石突２自体を透過してしまうので、第３貫通開口部２Ｈ２を不要としても良い。又、第１貫通開口部２Ｈ１及び第３貫通開口部２Ｈ２の配置順序は、図２の例示順序とは逆であっても良い。
【００２６】
又、図３（Ａ），（Ｂ）は、図１の中棒１の一部分を拡大化して模式的に示す正面図である。
【００２７】
図１及び図３（Ａ）に例示される様に、中棒１の上記一部分の内部に、破線で描かれた第２紫外線センサ（紫外線検出器）ＵＶＳ２が、全体的に、配設されている、ないしは、埋設されている。従って、第２紫外線センサＵＶＳ２もまた、日傘１０の開閉時に、障害物とはならず、日傘としての美感をも損なわない。尚、図示の便宜上、図１では、第２紫外線センサＵＶＳ２も、ハッチングで表示されている。
【００２８】
図１に例示する様に、第２紫外線センサＵＶＳ２は、傘布３を透過して又は外部の物に反射して傘布３の裏面側に降り注ぐ第２紫外線ＵＶ２Ａ，ＵＶ２Ｂのトータルとしての光量（光の強度）を検出して、その光量検出値（以下「第２検出値」という。）を、外部に対して、デジタル表示（数値）として、或は、アナログ表示として、当該日傘１０の使用者等に視認可能に表示する。同様に、第２紫外線センサＵＶＳ２の電源には、１次電池又は２次電池が用いられ、当該電池の取替え又は充電のために、中棒１の当該一部分は、中棒１より取り外し自在に設けられても良い。或は、当該電源が２次電池の場合には、中棒１の当該一部分に、充電用端子部が設けられていても良い。
【００２９】
図３（Ａ）に一例として表示される通り、中棒１の当該一部分の適宜な表面には、当該表面を貫通する形態を有する２個の貫通開口部１Ｈ１，１Ｈ２が、配設されている。或は、図３（Ｂ）に一例として表示される様に、中棒１が、その芯としての金属部１Ｂと、当該金属部１Ｂを全体的に被覆する合成樹脂部１Ａとから成っている場合に、例えば円筒型の第２紫外線センサＵＶＳ２が金属部１Ｂに嵌め込まれていても良い。この場合には、合成樹脂部１Ａの一部分の適宜な表面には、当該表面を貫通する形態を有する２個の貫通開口部１Ｈ１，１Ｈ２が、配設される。
【００３０】
これらの貫通開口部１Ｈ１，１Ｈ２の内で、第２貫通開口部１Ｈ１は、第２紫外線センサＵＶＳ２の第２検出値を外部より視認可能とするための表示窓口として機能する開口部である。この場合、第２貫通開口部１Ｈ１には、その入り口に於いて、ガラス窓又はプラスチック窓が設けられていても良い。何れにしても、日傘１０の使用者等は、第２貫通開口部１Ｈ１を介して、第２紫外線センサＵＶＳ２の第２検出値を視覚的に認識することが出来る。
【００３１】
他方の第４貫通開口部１Ｈ２は、第２紫外線ＵＶ２Ａ，ＵＶ２Ｂを第２紫外線センサＵＶＳ２の検出部（図示せず。）に入射させるための、紫外線の通り口である。この場合に、第４貫通開口部１Ｈ２の入り口部に於いて、ガラス窓又はプラスチック窓等の窓が設けられていても良い。尚、中棒１自体がプラスチック等の合成樹脂より成る場合には、第２紫外線ＵＶ２Ａ，ＵＶ２Ｂの一部は当該合成樹脂の中棒１自体を透過してしまうので、第４貫通開口部１Ｈ２を不要としても良い。又、第２貫通開口部１Ｈ１及び第４貫通開口部１Ｈ２の配置順序は、図３（Ａ）、図３（Ｂ）の例示順序とは逆であっても良い。
【００３２】
尚、一例として、第１及び第２紫外線センサＵＶＳ１，ＵＶＳ２のＯＮ／ＯＦＦのスイッチＳＷＡ，ＳＷＢが、図１の日傘１０に於いては、手元６の表面内に配設されている。第１及び第２紫外線センサＵＶＳ１，ＵＶＳ２とスイッチＳＷＡ，ＳＷＢ間の電気配線は、中棒１内に設定される。第１及び第２紫外線センサＵＶＳ１，ＵＶＳ２用のＯＮ／ＯＦＦ用スイッチは、日傘の他の場所に設けられても良い。
【００３３】
＜日傘１０の紫外線検出・表示（日傘１０の使用方法）＞
【００３４】
晴れ日又は曇り日に外出する際に紫外線を避けて美白肌を実現・維持するために、日傘１０が日々使用される。日傘１０の使用者等は、家の門前にて、又は、外路地上等の適宜な場所で、日傘１０を図１の如く開傘状態とする。この場合、第１及び第２紫外線センサＵＶＳ１，ＵＶＳ２は、日傘１０の開閉動作時に於いて障害物とはならず、しかも、外観的に日傘としての美観を損なうことも無い。そして、日傘１０の使用者等は、ＯＮ／ＯＦＦ用スイッチＳＷＡ，ＳＷＢをＯＮ状態に設定して、第１及び第２紫外線センサＵＶＳ１，ＵＶＳ２の各々を作動させる。
【００３５】
その結果、第１紫外線センサＵＶＳは、太陽よりオゾン層を透過して降り注ぐ第１紫外線ＵＶ１の光量ないし強度を検出して、その検出値を、例えば数値で以ってそのディスプレイ（図示せず。）上に、「第１検出値」としてデジタル表示する。
【００３６】
同様に、第２紫外線センサＵＶＳ２も、傘布３を透過した伝搬する第２紫外線ＵＶ２Ａ又は／及び外部の障害物等に反射して傘布３の裏面側に伝搬してくる第２紫外線ＵＶ２Ｂの光量ないし強度を検出し、その検出値を、例えば数値で以ってそのディスプレイ（図示せず。）上に、「第２検出値」としてデジタル表示する。
【００３７】
上記の第１検出値及び第２検出値をデータとして視認した使用者等は、その都度、当該紫外線光量の２つの情報に基づいて、本日の現時点で傘布３の裏面側に伝搬してくる紫外線の光量が相対的に大きいか又は相対的に低いかを判断することとなる。そして、使用者等は、現時点での紫外線の光量が相対的に大きいと判断した場合には、紫外線によって身体の肌が照射されるのを出来る限り軽減するための処置を行うことが出来る。例えば、使用者又は同伴者等は、手の腕の肌を被覆する長袖の被服又は手の腕の露出部を局所的に被覆する物を着用する、或いは、顔の肌の前面を覆う視認可能で且つ上下に自在に折り曲げ可能なパネル等が付いた帽子等を被るという対策を採ることが出来る。或いは、使用者等は、笠の大きい麦藁帽子を被るという対策を行うことが出来る。
【００３８】
この様に、使用者等は、上記の第１検出値及び第２検出値を、紫外線照射量のデータないしは情報として、日々、その都度、視認して管理することで（その際、上記情報を筆記して情報管理しても良い。）、情報管理を楽しみつつ、美白肌の実現・維持のための種々の対策を講じていくことが可能となる。
【００３９】
尚、日々の、その都度の、上記の第１検出値及び第２検出値は、第１及び第２紫外線センサＵＶＳ１，ＵＶＳ２内に設けられるメモリ（ＥＥＰＲＯＭ）等の記憶装置（図示せず。）によって、記憶・管理されても良い。
【００４０】
（実施の形態２）
図４は、本実施の形態に係る日傘１０Ａの全体構成を模式的に示す斜視図である。図４に於いて、実施の形態１における図１の参照符号と同一の参照符号のものは、同一の構成要素に該当する。
【００４１】
実施の形態１に係る日傘１０と異なる日傘１０Ａの特徴点は、第１及び第２紫外線センサの配置位置の相違にある。
【００４２】
即ち、日傘１０Ａに於いて、第１紫外線センサＵＶＳ１Ａは、中棒１の石突２の表面上に、外部より視認可能に、固定状態で又は取り外し自在の状態にて、配設されている。この場合に於いても、第１紫外線センサＵＶＳ１Ａの動作・機能は、実施の形態１に係る第１紫外線センサＵＶＳ１の既述した動作・機能と同一であり、異なるものではない。
【００４３】
又、日傘１０Ａに於いて、第２紫外線センサは、傘布３の裏面側の中棒１の表面の一部分上に、外部より視認可能な状態にて、配設されている。この場合、図４に於いて実線で示される様に、第２紫外線センサＵＶＳ２Ａが、開傘状態に於ける下ロクロ７の位置と傘布３の頂点位置との間の中棒１の表面部分上に、固定的に又は取り外し可能にて、配設されていても良い。或は、図４に於いて破線で示される様に、第２紫外線センサＵＶＳ２ＡＰが、開傘状態に於ける下ロクロ７の位置と手元６との間の中棒１の表面部分上に、取り外し自在な状態において、設けられても良い。当然の事ながら、第２紫外線センサＵＶＳ２Ａ，ＵＶＳ２ＡＰの動作・機能は、実施の形態１に係る第２紫外線センサＵＶＳ２の既述した動作・機能と同一であり、異なるものではない。
【００４４】
本実施の形態に係る日傘１０Ａの使用に於いても、使用者等は、第１及び第２紫外線センサＵＶＳ１Ａ，ＵＶＳ２Ａ，ＵＶＳ２ＡＰが表示する第１及び第２検出値の情報を日々楽しみなら管理して、身体の肌の美白のための対策を臨機応変に講じることが出来る。
【００４５】
以上の記載から理解される通り、「紫外線センサの配設」という用語は、概念として、１）中棒の一部分の表面上に配置される場合と、２）中棒１の内部に配置される場合とを、包摂するものである。
【００４６】
（変形例１）
日傘の石突にのみ、既述した第１紫外線センサＵＶＳ１，ＵＶＳ１Ａ（図１、図４参照。）を配設することとしても良い。この場合には、日傘の使用者等は、当該日傘の傘布の表面に降り注ぐ紫外線の光量をデータとして視認して当該紫外線の光量値を日々の紫外線の情報値として楽しんで管理することが出来る。この変形例においても、情報量は少なくなるとは言え、日傘の使用者等は、当該紫外線の情報値に応じて紫外線避け対策を講じて、「美白肌」の実現をトライし得る。
【００４７】
（変形例２）
日傘の傘布の裏面側の中棒の部分にのみ、既述した第２紫外線センサＵＶＳ２，ＵＶＳ２Ａ，ＵＶＳ２ＡＰ（図１、図４参照。）を配設することとしても良い。この場合においても、日傘の使用者等は、当該日傘の傘布を透過して又は外部で反射して傘布の裏面側に降り注ぐ紫外線の光量をデータとして視認して、当該紫外線の光量値を日々の紫外線の情報値として楽しんで管理することが出来る。そのため、本変形例に於いても、日傘の使用者等は、当該紫外線の情報値に応じて紫外線避け対策を講じて、「美白肌」の実現をトライし得る。
【００４８】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４９】
本発明は、折り畳み傘であるかを問うことなく、日傘に対して一般に適用して好適なものである。
【符号の説明】
【００５０】
１０，１０Ａ  日傘
１  中棒（中軸又はシャフト）
２  石突
３  傘布（カバー）
４  受骨
５  親骨（リブ）
６  手元（ハンドル）
７  下ロクロ（ランナー）
８  下ハジキ
９  止め鋲（ストッパー）
【図１】
2015016267.tif 000003
【図２】
2015016267.tif 000004
【図３】
2015016267.tif 000005
【図４】
2015016267.tif 000006